【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
対象システムにおいて実行されたソフトウェアの実行結果の成果物である１又は複数のエビデンスを前記対象システムから取得するエビデンス取得手段と、
前記エビデンス取得手段により取得された前記エビデンスを一意に特定可能として所定の格納場所に格納するエビデンス格納手段と、
前記エビデンス格納手段により格納された前記エビデンスの格納場所及び前記エビデンスを貼り付けるテンプレートドキュメントの指定に基づいて、指定された前記格納場所から前記エビデンスを取得し、指定された前記テンプレートドキュメントに対し前記エビデンスを資源として貼り付けて資源貼り付け済みドキュメントを作成するエビデンス整形手段と、を有することを特徴とする
ソフトウェア実行結果の成果物収集装置。
【請求項２】
前記エビデンス取得手段は、入力されたトリガーのタイミングで前記エビデンスを取得するか、ＧＵＩ画面からの操作に応じて前記エビデンスを取得するか、または、アクティブな画面のエビデンスを取得するかのいずれかにより、前記エビデンスを取得することを特徴とする請求項１に記載のソフトウェア実行結果の成果物収集装置。
【請求項３】
前記エビデンス取得手段は、前記アクティブな画面のエビデンスを取得する場合、画面が非アクティブ画面のときは非アクティブ化する前のアクティブ画面をエビデンスとして取得し、画面がアクティブ画面のときは当該アクティブ画面をエビデンスとして取得することを特徴とする請求項２に記載のソフトウェア実行結果の成果物収集装置。
【請求項４】
前記エビデンス格納手段により格納された前記エビデンスのプレビュー画像を表示するプレビュー表示手段と、
前記プレビュー表示手段により前記プレビュー画像を表示されたエビデンスについて、特定のエビデンスの指定及び削除指示が入力されたことに応じて当該エビデンスを前記格納場所から削除するエビデンス削除手段を有することを特徴とする請求項１〜３のいずれか一項に記載のソフトウェア実行結果の成果物収集装置。
【請求項５】
前記エビデンス取得手段により取得された画面のエビデンスについては、前記エビデンス格納手段に替えて、画面のエビデンスの取得条件及び削除条件を予め設定した画面取得定義に基づいて当該画面のエビデンスを取得するか否か、及び、削除するか否かを判定し、判定により取得されかつ削除されなかった画面のエビデンスを前記格納場所に格納する、画面エビデンス取捨選択及び格納手段を有することを特徴とする請求項１〜４のいずれか一項に記載のソフトウェア実行結果の成果物収集装置。
【請求項６】
資源貼り付け済みドキュメントの各ページからなる一覧表を作成して表示することを特徴とする請求項１〜３のいずれか一項に記載のソフトウェア実行結果の成果物収集装置。
【請求項７】
エビデンス取得手段が、対象システムにおいて実行されたソフトウェアの実行結果の成果物である１又は複数のエビデンスを前記対象システムから取得するエビデンス取得ステップと、
エビデンス格納手段が、取得した前記エビデンスを一意に特定可能として所定の格納場所に格納するエビデンス格納ステップと、
エビデンス整形手段が、前記エビデンスの格納場所及び前記エビデンスを貼り付けるテンプレートドキュメントの指定に基づいて、指定された前記格納場所から前記エビデンスを取得し、指定された前記テンプレートドキュメントに対し前記エビデンスを資源として貼り付けて資源貼り付け済みドキュメントを作成するエビデンス整形ステップと、を有することを特徴とする
ソフトウェア実行結果の成果物収集方法。
【手続補正２】
【補正対象書類名】明細書
【補正対象項目名】発明の名称
【補正方法】変更
【補正の内容】
【発明の名称】ソフトウェア実行結果の成果物収集装置及び方法
【手続補正３】
【補正対象書類名】明細書
【補正対象項目名】０００８
【補正方法】変更
【補正の内容】
【０００８】
本発明の目的は、ソフトウェア実行結果の成果物を自動又は簡易な手段で全体的に収集すること、収集した成果物に対する可用性を向上させること、並びに、取得した成果物の自動的な取捨選択及び内容を随時確認して手動での取捨選択を可能とすること、を実現する、ソフトウェア実行結果の成果物収集装置及び方法を提供することである。
【手続補正４】
【補正対象書類名】明細書
【補正対象項目名】０００９
【補正方法】変更
【補正の内容】
【０００９】
上記の目的を達成するべく、本発明は以下の構成を提供する。
本発明によるソフトウェア実行結果の成果物収集装置の態様は、対象システムにおいて実行されたソフトウェアの実行結果の成果物である１又は複数のエビデンスを前記対象システムから取得するエビデンス取得手段と、前記エビデンス取得手段により取得された前記エビデンスを一意に特定可能として所定の格納場所に格納するエビデンス格納手段と、前記エビデンス格納手段により格納された前記エビデンスの格納場所及び前記エビデンスを貼り付けるテンプレートドキュメントの指定に基づいて、指定された前記格納場所から前記エビデンスを取得し、指定された前記テンプレートドキュメントに対し前記エビデンスを資源として貼り付けて資源貼り付け済みドキュメントを作成するエビデンス整形手段と、を有することを特徴とする。
上記態様において、前記エビデンス取得手段は、入力されたトリガーのタイミングで前記エビデンスを取得するか、ＧＵＩ画面からの操作に応じて前記エビデンスを取得するか、または、アクティブな画面のエビデンスを取得するかのいずれかにより、前記エビデンスを取得することが、好適である。
上記態様において、前記エビデンス取得手段は、前記アクティブな画面のエビデンスを取得する場合、画面が非アクティブ画面のときは非アクティブ化する前のアクティブ画面をエビデンスとして取得し、画面がアクティブ画面のときは当該アクティブ画面をエビデンスとして取得することが、好適である。
上記態様において、前記エビデンス格納手段により格納された前記エビデンスのプレビュー画像を表示するプレビュー表示手段と、前記プレビュー表示手段により前記プレビュー画像を表示されたエビデンスについて、特定のエビデンスの指定及び削除指示が入力されたことに応じて当該エビデンスを前記格納場所から削除するエビデンス削除手段を有することが、好適である。
上記態様において、前記エビデンス取得手段により取得された画面のエビデンスについては前記エビデンス格納手段に替えて、画面のエビデンスの取得条件及び削除条件を予め設定した画面取得定義に基づいて当該画面のエビデンスを取得するか否か、及び、削除するか否かを判定し、判定により取得されかつ削除されなかった画面のエビデンスを前記格納場所に格納する、画面エビデンス取捨選択及び格納手段を有することが、好適である。
上記態様において、資源貼り付け済みドキュメントの各ページからなる一覧表を作成して表示することが、好適である。
また本発明によるソフトウェア実行結果の成果物収集方法の態様は、エビデンス取得手段が、対象システムにおいて実行されたソフトウェアの実行結果の成果物である１又は複数のエビデンスを前記対象システムから取得するエビデンス取得ステップと、エビデンス格納手段が、取得した前記エビデンスを一意に特定可能として所定の格納場所に格納するエビデンス格納ステップと、エビデンス整形手段が、前記エビデンスの格納場所及び前記エビデンスを貼り付けるテンプレートドキュメントの指定に基づいて、指定された前記格納場所から前記エビデンスを取得し、指定された前記テンプレートドキュメントに対し前記エビデンスを資源として貼り付けて資源貼り付け済みドキュメントを作成するエビデンス整形ステップと、を有することを特徴とする。
【手続補正５】
【補正対象書類名】明細書
【補正対象項目名】００１０
【補正方法】変更
【補正の内容】
【００１０】
以上のように、本発明のソフトウェア実行結果の成果物収集装置及び方法によれば、ソフトウェア実行結果の成果物であるエビデンスの取得作業を効率化でき、さらに取得基準の統一化が図れるため、作業品質を高めることができる。